(57)【要約】本発明は、リッドステイ、特に家具のためのリッドステイに関する。旋回軸線（３）を中心に開放位置と閉鎖位置との間で旋回可能に互いに結合されている第１のアーム（１）および第２のアーム（２）と、第１のアーム（１）に設けられていて、旋回軸線（３）に対して平行に配置された中心軸線（５）の周りを延在していて、中心軸線（５）に対して垂直な断面で見て円弧状に構成されている凸面状の調節輪郭（４）と、第１のアーム（１）により調節軸線（９）に沿って摺動可能に案内されていて、調節輪郭（４）に向かって方向付けられた平坦な支持面（１２）を有していて、調節輪郭（４）の方向でばね負荷されている調節スライダ（８）と、凹面状の第１の滑動面（１４）でもって調節輪郭（４）と滑り接触していて、平坦な第２の滑動面（１５）でもって支持面（１２）と滑り接触している滑動片（１３）とが設けられており、第１の滑動面（１４）が円弧状に中心軸線（５）の周りを延在し、調節輪郭（４）と同じ曲率を有しているようにした。
2006519959.tif 000002
【特許請求の範囲】
【請求項１】
リッドステイ、特に家具のためのリッドステイにおいて、
第１のアーム（１）および第２のアーム（２）が設けられており、第１のアーム（１）と第２のアーム（２）とが旋回軸線（３）を中心に開放位置と閉鎖位置との間で旋回可能に互いに結合されており、
凸面状の調節輪郭（４）が第１のアーム（１）に設けられており、調節輪郭（４）が、旋回軸線（３）に対して平行に配置された中心軸線（５）の周りを延在し、かつ中心軸線（５）に対して垂直な断面で見て円弧状に構成されており、
調節スライダ（８）が設けられており、調節スライダ（８）が、第１のアーム（１）により調節軸線（９）に沿って摺動可能に案内されており、調節輪郭（４）に向かって方向付けられた平坦な支持面（１２）を有しており、かつ調節輪郭（４）の方向でばね負荷されており、
滑動片（１３）が設けられており、滑動片（１３）が、凹面状の第１の滑動面（１４）でもって調節輪郭（４）と滑り接触しており、かつ平坦な第２の滑動面（１５）でもって支持面（１２）と滑り接触しており、第１の滑動面（１４）が円弧状に中心軸線（５）の周りを延在し、かつ調節輪郭（４）と同じ曲率を有している
ことを特徴とするリッドステイ。
【請求項２】
第１のアーム（１）が、調節輪郭（４）に沿って延在し、軸方向で張り出したビード（１７）を有しており、ビード（１７）が、滑動片（１３）の、相応に構成された溝（１８）内に係入しており、溝（１８）が第１の滑動面（１４）を形成する、請求項１記載のリッドステイ。
【請求項３】
滑動片（１３）と調節輪郭（４）との間の接触領域における、調節輪郭（４）と旋回軸線（３）との間の半径方向の間隔が、少なくとも旋回経路の第１の部分にわたって、両アーム（１，２）の、開放位置と閉鎖位置との間に配置されている中間位置から開放位置にかけて減少する、請求項１または２記載のリッドステイ。
【請求項４】
滑動片（１３）と調節輪郭（４）との間の接触領域における、調節輪郭（４）と旋回軸線（３）との間の半径方向の間隔が、旋回経路の第２の部分にわたって、両アーム（１，２）の閉鎖位置から中間位置にかけて増加する、請求項３記載のリッドステイ。
【請求項５】
支持面（１２）が調節軸線（９）を横断するように配置されており、調節軸線（９）が支持面（１２）の垂線から変位して配置されている、請求項１から４までのいずれか１項記載のリッドステイ。
【請求項６】
支持支承部（２６）が設けられており、支持支承部（２６）が旋回軸線（３）から可変の間隔を置いて保持されており、
圧縮ばね（１０，１１）が設けられており、圧縮ばね（１０，１１）が一端で調節スライダ（８）に、他端で支持支承部（２６）に支持されている、
請求項１から５までのいずれか１項記載のリッドステイ。
【請求項７】
支持支承部（２６）が受け（２９）の支承面（３０）に支持されており、受け（２９）が回転軸線（３１）を中心に回転可能に支承されており、支承面（３０）が周方向で、回転軸線（３１）から可変の間隔を有している、請求項６記載のリッドステイ。
【請求項８】
支承面（３０）が渦巻線状に構成されている、請求項７記載のリッドステイ。
【請求項９】
アーム（１，２）がそれぞれ、旋回軸線（３）とは反対側の自由端部に、アーム（１，２）をそれぞれ家具のボディまたはリッドに結合するための結合手段（３５，３６）を有している、請求項１から８までのいずれか１項記載のリッドステイ。
【請求項１０】
支持支承部（２６）が、旋回軸線（３）に対して平行に延在する孔（３５）を有しており、該孔（３５）が第２のアーム（２）の結合手段を成す、請求項６または９記載のリッドステイ。
【発明の詳細な説明】
【技術分野】
【０００１】
本発明は、家具のリッド（Ｄｅｃｋｅｌ）またはフラップ（Ｋｌａｐｐｅ）を保持するためのリッドステイ（Ｄｅｃｋｅｌｓｔｅｌｌｅｒ）に関する。リッドは一般に鉛直に配置されており、家具に枢設されている。ヒンジ、例えばリッドの上縁に設けられたヒンジにより、リッドは旋回可能に家具のボディに固定されている。リッドは垂直な閉鎖位置から上方に、リッドが実質的に水平にまたは傾いて配置されている開放位置に向かってはね上げられる。
【０００２】
ドイツ連邦共和国実用新案第２９９０３５０３号明細書に記載されたリッドステイは、旋回軸線を中心に旋回可能に互いに結合されている第１のアームと第２のアームとを有している。第１のアームは曲線形状の調節輪郭を形成する。調節輪郭と旋回軸線との間の半径方向の間隔は、両アームの第１の位置を起点として、角度経路の一部にわたって増加し、角度経路の終端に向かって再度減少する。第２のアームには調節スライダが対応配置されている。調節スライダは摺動可能に支承されており、ばねにより、第１のアームの調節輪郭に当て付けられるように負荷されている。このリッドステイは、ルーフボックス（Ｄａｃｈｋｏｆｆｅｒ）のリッドを保持するために役立つ。調節輪郭は、最も大きな角度経路にわたって、リッドステイを、ルーフボックスのリッドの開放位置に相当する位置に向かって負荷するように形成されている。より小さな角度経路にわたって、両アームの、ルーフボックスのリッドの閉鎖位置に相当する位置の方向での引き寄せトルクが形成される。リッドの開放位置の方向での開放トルクは、調節輪郭と旋回軸線との間の半径方向の間隔が増加することにより達成される。調節輪郭の曲線は運動学的な関係に適合されている。その結果、リッドを持ち上げるまたは任意の位置に保持するのに十分なトルクが常に形成される。調節スライダは支持面を形成し、支持面は調節輪郭に当て付けられるように負荷されている。支持面は、旋回軸線に対して垂直な断面で見てＶ字形に構成されている。その結果、線接触が調節スライダと調節輪郭との間に形成される。それにより、著しく小さな接触面が実現されているので、高い面圧が発生する。この高い面圧は、リッドステイにより保持されることができる最大のフラップ重量を制限し、リッドステイの寿命を短縮する。
【０００３】
本発明の課題は、より長い寿命を有するリッドステイを提供することである。
【０００４】
上記課題は本発明により、
−第１のアームおよび第２のアームが設けられており、第１のアームと第２のアームとが旋回軸線を中心に開放位置と閉鎖位置との間で旋回可能に互いに結合されており、
−凸面状の調節輪郭が第１のアームに設けられており、調節輪郭が、旋回軸線に対して平行に配置された中心軸線の周りを延在し、かつ中心軸線に対して垂直な断面で見て円弧状に構成されており、
−調節スライダが設けられており、調節スライダが、第１のアームにより調節軸線に沿って摺動可能に案内されており、調節輪郭に向かって方向付けられた平坦な支持面を有しており、かつ調節輪郭の方向でばね負荷されており、
−滑動片が設けられており、滑動片が、凹面状の第１の滑動面でもって調節輪郭と滑り接触しており、かつ平坦な第２の滑動面でもって支持面と滑り接触しており、第１の滑動面が円弧状に中心軸線の周りを延在し、かつ調節輪郭と同じ曲率を有している
ことを特徴とするリッドステイ、特に家具のためのリッドステイにより解決される。
【０００５】
調節輪郭は、中心軸線に対して垂直な断面で見て円弧状に構成されている。その際、滑動片の第１の滑動面は調節輪郭に対応する形で形成されている。それにより、面接触が調節輪郭と第１の滑動面との間で保証されている。第１の滑動面は全面的に調節輪郭に当て付けられている。それにより、高い面圧を伴う点接触または線接触が回避される。
【０００６】
さらに、調節スライダの支持面ならびに滑動片の第２の滑動面は、平坦に形成されている。その結果、両面は互いに面接触している。それにより、滑動片と調節スライダとの間でも、点接触または線接触が回避されている。
【０００７】
滑動片の、調節輪郭ならびに支持面との面接触に基づいて、面圧は明らかに減じられている。その結果、このリッドステイはより長い寿命を有している。さらに、滑動片は簡単に交換されるので、種々異なる材料から成る滑動片が使用されることができる。これにより、発生する摩擦力は変更される。その結果、リッドステイは簡単に種々異なる要求に適合されることができる。滑動片は有利には、調節輪郭および支持面とは異なる材料から製作されている。
【０００８】
材料の組み合わせと調節輪郭の偏心率とにより、リッドステイのトルク特性は、保持したいリッドがあらゆる任意の位置で保持されているように調整されることができる。
【０００９】
さらに、調節輪郭は横断面で見て、球面状に構成されていても、まっすぐに構成されていてもよい。その際、第１の滑動面は横断面で見て調節輪郭に対応する形で形成されている。
【００１０】
滑動片の、調節輪郭に沿った確実な案内を保証するために、第１のアームが、調節輪郭に沿って延在し、中心軸線に関して軸方向で張り出したビードを有しており、ビードが、滑動片の、相応に構成された溝内に係入しており、溝が第１の滑動面を形成するようになっている。それにより、滑動片はビードに被せ嵌められ、ビードに沿って両アームの調節時に案内される。
【００１１】
調節輪郭が旋回軸線に対して同心的に配置されているので、両アームの旋回経路にわたって、滑動片と調節輪郭との間の接触領域と、旋回軸線との間の、変化する間隔が得られる。これにより、滑動片を調節輪郭に対して負荷する調節スライダにより、トルクが形成される。
【００１２】
有利には、滑動片と調節輪郭との間の接触領域における、調節輪郭と旋回軸線との間の半径方向の間隔が、少なくとも旋回経路の第１の部分にわたって、両アームの、開放位置と閉鎖位置との間に配置されている中間位置から開放位置にかけて減少する。
【００１３】
さらに、滑動片と調節輪郭との間の接触領域における、調節輪郭と旋回軸線との間の半径方向の間隔が、旋回経路の第２の部分にわたって、両アームの閉鎖位置から中間位置にかけて増加するようになっていることができる。
【００１４】
支持面が調節軸線を横断するように配置されており、調節軸線が有利には支持面に対して垂直に配置されていないことができる。支持面は任意の角度で配置されることができる。これにより、両アームの旋回経路にわたるトルク特性は適合されることができる。支持面は調節スライダと一体的に形成されていてもよいし、調節スライダに結合されている別個の構成部分の部分であってもよい。別個の構成部分は、支持面の、調節スライダの調節方向に対する角度を変更するために交換されることができる。
【００１５】
さらに、支持支承部が設けられており、支持支承部が旋回軸線から可変の間隔を置いて保持されており、圧縮ばねが設けられており、圧縮ばねが一端で調節スライダに、他端で支持支承部に支持されているようになっていることができる。その際、支持支承部が受けの支承面に支持されており、受けが回転軸線を中心に回転可能に支承されており、支承面が周方向で、回転軸線から可変の間隔を有しているようになっていることができる。有利には、支承面が渦巻線状に構成されている。
【００１６】
アームがそれぞれ、旋回軸線とは反対側の自由端部に、アームをそれぞれ家具のボディまたはリッドに結合するための結合手段を有しているようになっている。
【００１７】
支持支承部が設けられている場合には、支持支承部が、旋回軸線に対して平行に延在する孔を有しており、該孔が第２のアームの結合手段を成すようになっていることができる。
【００１８】
以下に、有利な実施例について図面を参照しながら詳細に説明する。
図１：開放位置にある本発明によるリッドステイの部分縦断面図である。
図２：閉鎖位置にある、図１のリッドステイを示す図である。
図３：滑動片の平面図である。
【００１９】
図１および図２に、本発明によるリッドステイの一実施例を、２つの異なる位置で示し、以下に一括して説明を加える。
【００２０】
リッドステイは第１のアーム１および第２のアーム２を有している。第１のアーム１と第２のアーム２とは、ジョイントピン２２により、旋回軸線３を中心に旋回可能に互いに結合されている。両アーム１，２は、図１に示した開放位置と、図２に示した閉鎖位置との間で相互に旋回可能である。
【００２１】
第１のアーム１は、第２のアーム２側の端部に、凸面状の調節輪郭４を形成する。調節輪郭４は、旋回軸線３に対して平行に配置された中心軸線５の周りに配置されており、中心軸線５に対して垂直な断面で見て円弧状に構成されている。それにより、調節輪郭４は旋回軸線３に対して偏心的に配置されている。
【００２２】
第２のアーム２はハウジング６ならびに図示されていないカバーを有している。ハウジング６とカバーとは内室７を包囲する。内室７内では、調節スライダ８が調節軸線９に沿って摺動可能に案内されている。調節スライダ８は圧縮ばね１０，１１により調節輪郭４の方向で力により負荷されている。調節スライダ８は、調節輪郭４側の、平坦に構成された支持面１２を形成する。支持面１２により、調節スライダ８は滑動片１３に支持されている。滑動片１３はやはり第１のアーム１の調節輪郭４に支持されている。それにより、調節スライダ８は滑動片１３を介して間接的に第１のアーム１の調節輪郭４に支持されている。
【００２３】
滑動片１３は凹面状の第１の滑動面１４を形成する。第１の滑動面１４は調節輪郭４に面接触して保持されている。このために、第１の滑動面１４は、旋回軸線３に対して平行に配置された中心軸線５の周りを延在し、中心軸線５に対して垂直な断面で見て円弧状に構成されている。その際、第１の滑動面１４は調節輪郭４と同じ半径もしくは同じ曲率を有している。
【００２４】
さらに、滑動片１３は第２の滑動面１５を形成する。第２の滑動面１５は調節スライダ８の支持面１２に面接触している。このために、第２の滑動面１５は支持面１２と同様に平坦に構成されている。
【００２５】
第１のアーム１は、調節輪郭４を形成する端部に、旋回軸線３に対して垂直に延在する表面１６を有している。この表面１６から、ビード（凸縁部）１７が旋回軸線３に関して軸方向で張り出している。ビード１７は調節輪郭４に沿って延在している。滑動片１３は、図３に示されているように、ビード１７に合わせて形成されている溝１８を有している。ビード１７はコンスタントな厚さを有している。溝１８の幅はビード１７の厚さに等しい。溝１８は第１の滑動面１４ならびに第１の案内面１９を形成する。第１の案内面１９はビード１７の第２の案内面２０に当て付けられている。第２の案内面２０は、ビード１７の、調節輪郭４とは反対側の面に配置されている。それにより、滑動片１３はビード１７に沿って案内されている。
【００２６】
調節スライダ８は、支持面１２を画定する案内壁２１を有している。案内壁２１に沿って、滑動片１３は支持面１２に対して相対的に摺動可能である。案内壁２１は表面１６に対して平行に延在している。案内壁２１は、滑動片１３の、溝１８とは反対側の面で支持されている。それにより、滑動片１３は旋回軸線３の方向での移動に抗して確実に保持されている。
【００２７】
調節スライダ８は、調節軸線９に対して平行に延在する２つの盲孔２３，２４を有している。盲孔２３，２４はその都度１つの孔底面２５を有している。孔底面２５には、その都度１つの圧縮ばね１０，１１が調節輪郭４の方向で支持されている。圧縮ばね１０，１１の、その都度他方の端部で、圧縮ばね１０，１１は支持支承部（Ｓｔｕｅｔｚｌａｇｅｒ）２６に支持されている。支持支承部２６はロッド２７，２８を形成する。ロッド２７，２８には、圧縮ばね１０，１１が被せ嵌められている。ロッド２７，２８は盲孔２３，２４内に進入する。それにより、圧縮ばね１０，１１は盲孔２３，２４およびロッド２７，２８により確実に保持されている。その結果、圧縮ばね１０，１１の、調節軸線９を横断する方向での屈曲は阻止される。
【００２８】
支持支承部２６は摺動可能にハウジング６内で案内されている。その際、支持支承部２６は受け（Ｗｉｄｅｒｌａｇｅｒ）２９の支承面３０に支持されている。受け２９は回転軸線３１を中心に回転可能にハウジング６内に支承されている。支承面３０は、受け２９の回転軸線３１から可変の間隔を有している。その結果、支持支承部２６は、旋回軸線３から可変の間隔を置いてハウジング６内に保持されている。支承面３０は渦巻線状に形成されており、複数の、半径方向の係止凹部３２を有している。係止凹部３２内に、支持支承部２６の係止凸部３３が、受け２９の、意図せざる回転を阻止するために係入する。受け２９を、回転軸線３１を中心に回転させることができるように、受け２９は六角断面形の穴３４を有している。その結果、受け２９をアレンレンチで回して、圧縮ばね１０，１１の予圧（プリロード）を変更することが可能である。さらに、受け２９は孔３５を有している。孔３５は、第２のアーム２を家具のボディまたはリッドに結合するための結合手段として役立つ。やはり第１のアーム１も、第２のアーム２とは反対側の自由端部に、孔３６を有している。孔３６はやはり、リッドステイを家具のボディまたはリッドに結合するための結合手段として役立つ。
【００２９】
図１では、両アーム１，２がその開放位置にある。その際、第１のアーム１の終端ストッパ３７は支持面１２に当て付けられている。その結果、両アーム１，２の、開放位置を超えての旋回は阻止される。さらに、調節輪郭４は旋回軸線３に対して偏心的に配置されている。その結果、両アーム１，２が開放位置から、図２に示した閉鎖位置の方向で旋回する際に、滑動片１３の第１の滑動面１４が調節輪郭４に接触している接触領域と、旋回軸線３との間の間隔はまず拡大する。両アーム１，２が開放位置から閉鎖位置の方向で旋回することにより、調節スライダ８は調節軸線９に沿って支持支承部２６の方向で、圧縮ばね１０，１１のばね力に抗して移動させられる。それにより、開放位置の方向でのトルクが形成される。
【００３０】
この旋回運動時に、滑動片１３の第１の滑動面１４は調節輪郭４に沿って滑動する。さらに、滑動片１３の第２の滑動面１５は調節スライダ８の支持面１２に沿って滑動する。摩擦力は、互いに滑動する面の間の材料組み合わせにより影響を及ぼされる。旋回経路にわたってのトルク特性は、調節輪郭４の、旋回軸線３に対する偏心率と、支持面１２の、調節軸線９に対する相対的な角度とにより変更される。
【００３１】
開放位置と閉鎖位置との間に配置されている中間位置に到達した後、滑動片１３の第１の滑動面１４が調節輪郭４に接触している接触領域と、旋回軸線３との間の間隔は再度減少する。その結果、閉鎖方向でのトルクが形成される。それというのも、この旋回範囲にわたって、調節スライダ８が再度旋回軸線３の方向で運動し、圧縮ばね１０，１１により支持されるからである。中間位置と閉鎖位置との間の旋回範囲は一般に比較的小さい。その結果、閉鎖位置に到達する直前の、最後の旋回範囲においてのみ、引き寄せトルクが達成される。その結果、カバーは確実に閉鎖位置に保持されている。
【図面の簡単な説明】
【００３２】
【図１】開放位置にある本発明によるリッドステイの部分縦断面図である。
【図２】閉鎖位置にある、図１のリッドステイを示す図である。
【図３】滑動片の平面図である。
【符号の説明】
【００３３】
１  第１のアーム、  ２  第２のアーム、  ３  旋回軸線、  ４  調節輪郭、  ５  中心軸線、  ６  ハウジング、  ７  内室、  ８  調節スライダ、  ９  調節軸線、  １０  圧縮ばね、  １１  圧縮ばね、  １２  支持面、  １３  滑動片、  １４  第１の滑動面、  １５  第２の滑動面、  １６  表面、  １７  ビード、  １８  溝、  １９  第１の案内面、  ２０  第２の案内面、  ２１  案内壁、  ２２  ジョイントピン、  ２３  盲孔、  ２４  盲孔、  ２５  孔底面、  ２６  支持支承部、  ２７  ロッド、  ２８  ロッド、  ２９  受け、  ３０  支承面、  ３１  回転軸線、  ３２  係止凹部、  ３３  係止凸部、  ３４  六角断面形の穴、  ３５  孔、  ３７  終端ストッパ
【図１】
2006519959.tif 000003
【図２】
2006519959.tif 000004
【図３】
2006519959.tif 000005
【手続補正書】
【提出日】平成17年9月12日(2005.9.12)
【手続補正１】
【補正対象書類名】特許請求の範囲
【補正対象項目名】全文
【補正方法】変更
【補正の内容】
【特許請求の範囲】
【請求項１】
リッドステイ、特に家具のためのリッドステイにおいて、
第１のアーム（１）および第２のアーム（２）が設けられており、第１のアーム（１）と第２のアーム（２）とが旋回軸線（３）を中心に開放位置と閉鎖位置との間で旋回可能に互いに結合されており、
凸面状の調節輪郭（４）が第１のアーム（１）に設けられており、調節輪郭（４）が、旋回軸線（３）に対して平行に配置された中心軸線（５）の周りを延在し、かつ中心軸線（５）に対して垂直な断面で見て円弧状に構成されており、
調節スライダ（８）が設けられており、調節スライダ（８）が、第１のアーム（１）により調節軸線（９）に沿って摺動可能に案内されており、調節輪郭（４）に向かって方向付けられた平坦な支持面（１２）を有しており、かつ調節輪郭（４）の方向でばね負荷されており、
滑動片（１３）が設けられており、滑動片（１３）が、凹面状の第１の滑動面（１４）でもって調節輪郭（４）と滑り接触しており、かつ平坦な第２の滑動面（１５）でもって支持面（１２）と滑り接触しており、第１の滑動面（１４）が円弧状に中心軸線（５）の周りを延在し、かつ調節輪郭（４）と同じ曲率を有している
ことを特徴とするリッドステイ。
【手続補正２】
【補正対象書類名】明細書
【補正対象項目名】００１４
【補正方法】変更
【補正の内容】
【００１４】
支持面が調節軸線を横断するように配置されており、調節軸線が有利には支持面の垂線から変位して配置されている、すなわち支持面に対して垂直に配置されていないことができる。支持面は任意の角度で配置されることができる。これにより、両アームの旋回経路にわたるトルク特性は適合されることができる。支持面は調節スライダと一体的に形成されていてもよいし、調節スライダに結合されている別個の構成部分の部分であってもよい。別個の構成部分は、支持面の、調節スライダの調節方向に対する角度を変更するために交換されることができる。
【国際調査報告】
2006519959.tif 000006
2006519959.tif 000007
2006519959.tif 000008
2006519959.tif 000009